(57)【要約】  本発明は、コンピュータによって実施される印刷文書検証のための方法および関連装置に関するものである。印刷すべき文書には、関連する内容データ、面付けデータ、および加工データがあり、面付けデータは文書の少なくとも１つの面付け折丁を記述し、加工データは、印刷文書を作成するために行うべき１つまたは複数の加工操作の適用を記述する。このデータは入力装置を使用して取得され、上記内容データ、面付けデータおよび加工データに従って印刷、加工すべき文書の電子出力表現を生成する表現システムに渡される。次いで作業者は、この電子表現を点検して生じ得る誤りの有無を確かめることができる。
2010537298.tif 000002
【特許請求の範囲】
【請求項１】
コンピュータによって実施される印刷文書検証方法であって、
印刷すべき文書の内容に関連する内容データを取得し、
前記文書の少なくとも１つの面付け折丁を記述する面付けデータを取得し、
前記印刷文書を作成するために行うべき１つまたは複数の加工操作の適用を記述する加工データを取得し、
前記内容データ、面付けデータおよび加工データに従って、前記印刷し加工すべき文書の電子出力表現を生成する、
印刷文書検証方法。
【請求項２】
前記内容データおよび前記印刷文書を生成する際に使用すべき印刷加工装置に従って前記少なくとも１つの面付け折丁を生成することをさらに含む請求項１に記載のコンピュータによって実施される印刷文書検証方法。
【請求項３】
前記面付けデータは、それぞれが異なる印刷文書部分を表わす複数の面付け折丁を記述する請求項１または請求項２に記載のコンピュータによって実施される印刷文書検証方法。
【請求項４】
前記１つまたは複数の加工操作の適用に先立ち、前記面付けデータに適用された前記内容データを表現する電子面付け用紙表現を生成することをさらに含む前記請求項のいずれか１項に記載のコンピュータによって実施される印刷文書検証方法。
【請求項５】
前記電子出力表現は、前記加工データに従って、前記電子面付け用紙表現に前記１つまたは複数の加工操作を適用するように前記電子面付け用紙表現を処理することによって生成される請求項４に記載のコンピュータによって実施される印刷文書検証方法。
【請求項６】
前記電子出力表現を表示することをさらに含む前記請求項のいずれか１項に記載のコンピュータによって実施される印刷文書検証方法。
【請求項７】
前記電子出力表現を生成することは、前記１つまたは複数の加工操作の適用を表わす動画を生成することをさらに含む請求項６に記載のコンピュータによって実施される印刷文書検証方法。
【請求項８】
前記電子出力表現にテクスチャ効果および照明効果のうちの少なくとも１つを適用することをさらに含む請求項６または請求項７に記載のコンピュータによって実施される印刷文書検証方法。
【請求項９】
前記電子出力表現は三次元表現を含む請求項６から請求項８のいずれか１項に記載のコンピュータによって実施される印刷文書検証方法。
【請求項１０】
前記三次元表現を生成することは、前記内容データ、面付けデータおよび加工データから取得される１つまたは複数のパラメータを利用するパラメトリックモデルを生成することを含む請求項９に記載のコンピュータによって実施される印刷文書検証方法。
【請求項１１】
前記電子出力表現を生成することの後に前記電子出力表現と対話することをさらに含む前記請求項のいずれか１項に記載のコンピュータによって実施される印刷文書検証方法。
【請求項１２】
表現を回転させること、表現内のページを開くこと、表現を拡大縮小すること、または表現を変換することのうちの１つまたは複数のやり方で前記電子出力表現と対話することをさらに含む請求項１１に記載のコンピュータによって実施される印刷文書検証方法。
【請求項１３】
前記電子出力表現と対話することは、前記印刷文書が前記１つまたは複数の加工操作に従って作成された場合に物理的に可能であるはずの対話だけに制限される請求項１１または請求項１２に記載のコンピュータによって実施される印刷文書検証方法。
【請求項１４】
作業者に前記電子出力表現との対話を円滑に行わせるためのグラフィカルユーザインターフェースが提供される請求項１１〜請求項１３のいずれか１項に記載のコンピュータによって実施される印刷文書検証方法。
【請求項１５】
前記出力表現を生成することの後に前記面付けデータまたは加工データを動的に編集し、前記編集済みのデータに基づいて前記出力表現を再生成することをさらに含む前記請求項のいずれか１項に記載のコンピュータによって実施される印刷文書検証方法。
【請求項１６】
前記１つまたは複数の加工操作は、筋押し、断裁、型押し、貼り、ミシン加工、結束、積み重ね、折たたみ、中綴じ用丁合、大貼り運用、無線綴じ用丁合、綴じまたは化粧裁ちのうちの少なくとも１つを含む前記請求項のいずれか１項に記載のコンピュータによって実施される印刷文書検証方法。
【請求項１７】
前記加工データは、管理情報システムから取得される追加の管理データを使用して取得される前記請求項のいずれか１項に記載のコンピュータによって実施される印刷文書検証方法。
【請求項１８】
前記加工データが複数の加工操作を記述している場合、各加工操作ごとの複数の電子出力表現を生成することをさらに含む前記請求項のいずれか１項に記載のコンピュータによって実施される印刷文書検証方法。
【請求項１９】
前記複数の電子出力表現は前記印刷文書の作成を表わす順序で生成される請求項１８に記載のコンピュータによって実施される印刷文書検証方法。
【請求項２０】
コンピュータ上で使用されると、前記請求項のいずれか１項に記載のステップを実行するように適合されたコンピュータプログラムコードを含むコンピュータプログラム。
【請求項２１】
コンピュータ上で実行されると、請求項１から２０のいずれか１項に記載の方法を実行するコンピュータ可読媒体上のプログラムコードを含むコンピュータプログラム製品。
【請求項２２】
印刷文書の内容に関連する内容データ、前記文書の少なくとも１つの面付け折丁を記述する面付けデータ、および前記印刷文書を作成するための１つまたは複数の加工操作の適用を記述する加工データを取得するように適合された入力装置と、
前記内容データ、面付けデータおよび加工データに従って前記印刷文書の電子出力表現を生成するように適合されたプロセッサを備える表現システムと、
前記出力表現を出力するように適合された出力装置と、
を備える印刷文書検証システム。
【請求項２３】
前記入力装置は、マウス、タブレット、タッチスクリーン、ネットワーク接続、またはディジタル媒体読取装置のうちの少なくとも１つを備える請求項２２に記載の印刷文書検証システム。
【請求項２４】
前記出力装置は表示装置を備える請求項２２または請求項２３に記載の印刷文書検証システム。
【発明の詳細な説明】
【技術分野】
【０００１】
本発明は、特に、印刷すべき文書を試し表示することにより、印刷文書を検証する方法および装置に関する。
【背景技術】
【０００２】
面付けという概念は、印刷業界内では公知であり、正しいやり方で折たたまれると完成した出版物または出版物の一部となるような紙その他の印刷媒体のシート上における文書の各ページの配置に関するものである。このページの配置を面付けレイアウトという。印刷工程に役立つように、面付けレイアウトにはしばしば、面付け折丁と呼ばれるものを作成するための様々な印刷用マークが付けられる。
【０００３】
一般に、出版すべき文書は、文書の各ページが標準的なコンピュータシステム上で表示するのに適した読取り順に配置されているページ記述言語（ＰＤＬ）ファイルとして受け取られる。
【０００４】
大部分のプリプレスワークフローシステムは、ＰＤＬファイルに格納された文書の内容を面付け折丁と合成し、次いで、印刷機械で文書を印刷するのに使用される印刷版上に画像を作成することのできる機能を有する。面付け折丁の印刷出力は、１枚または複数の面付け用紙を含み得る。印刷媒体は通常、用紙の表裏の両面に印刷される。
【０００５】
典型的にはプリプレスワークフローパッケージは、画面上に印刷結果の表現を表示させることができる。このビューは最も一般的には、印刷する前に問題を発見するのに使用される。印刷結果は典型的には数枚の分版からなり、各分版は異なる印刷インキの色と関連付けられている。このビューは、典型的には、ユーザに表示すべき各分版を任意の組み合わせで選択させて、（重ね刷り、トラッピングなどといった）印刷製造詳細を探求することができるようにする。このようなビューアアプリケーションは典型的には、異なる分版の組み合わせを一緒に表示させ、表示倍率を変えさせ、画面上の色を他の標準ビューア型諸機構と共に調整させる。また、プリプレス作業者が、検証のために面付け用紙の複写（または校正刷り）を印刷出力することもできる。
【０００６】
面付け折丁の印刷後、出版物を作成するジョブはさらにいくつかのステップ（「加工」（ｆｉｎｉｓｈｉｎｇ））を必要とする。各加工ステップは正確なもので、その他のステップとの整合性を有するものである必要である。例えば、典型的な商業印刷出版物の作成は、用紙の印刷、断裁、積み重ねおよび折たたみ、綴じおよび化粧裁ちを含むいくつかのステップからなる。これらのステップは、ミューラー・マルティニ（Ｍｕｌｌｅｒ  Ｍａｒｔｉｎｉ）社製の「バローレ」中綴じ機（Ｖａｌｏｒｅ  Ｓａｄｄｌｅ  Ｓｔｉｔｃｈｅｒ）や「アポロ」スタッカー（Ａｐｏｌｌｏ  Ｓｔａｃｋｅｒ）といった様々な周知の印刷機械類によって実行される。
【０００７】
典型的な出版物の印刷作業工程は長い連続した個々のステップからなる。印刷生産ラインがますます自動化され、出版顧客がより低い費用でより多くの柔軟性を求めるようになるにつれて、自動で管理されなければならない一連のステップは一層複雑になりつつある。例えば、紙を節約するために、しばしば、いくつかの異なる出版物が１枚の用紙に組み合わされ（大貼りにまとめられ）、各出版物がさらにいくつかの異なる折たたみ用紙を含むこともある。各用紙がさらに異なる媒体上に印刷されることもある。面付け折丁を点検するとき、プリプレス作業者は通常、自分の経験に頼って誤りの発生に気付かなくてはならない。この工程は、最も熟練した作業者にとってさえも難しいものであるが、「オンデマンド」出版が導入されると、この工程を管理し、誤りを検出することがほとんど不可能になる。このような状況においては、機械類、作業要員、および場所さえもが、知らせを受けてからすぐに変わることがあり、しばしば作業者が面付けレイアウトおよび印刷物加工の詳細を確定するために印刷生産ラインを数回通して仮運転することが必要になる。これは当然ながら時間遅延を増加させ、出版物の生産費用を増大させる。
【発明の概要】
【課題を解決するための手段】
【０００８】
本発明の第１の態様によれば、コンピュータによって実施される印刷文書検証方法であって、印刷すべき文書の内容に関連する内容データを取得し、文書の少なくとも１つの面付け折丁を記述する面付けデータを取得し、印刷文書を作成するために行うべき１つまたは複数の加工操作の適用を記述する加工データを取得し、前記内容データと、面付けデータおよび加工データに従って印刷され加工される文書の電子出力表現を生成することを含む方法が提供される。
【０００９】
面付けの誤り検査の新しい手法が提案される。この新しいシステムの主目的は、出版物が被印刷物基体に記される前に面付け折丁、折たたみおよび加工の各誤りを検出することである。また、この新しいシステムは、このような誤りの診断および訂正にも役立つ。このようなシステムは、自動化された面付け作成システムの作業を検査するのに必要である。
【００１０】
したがって、作業者は、実際に印刷文書を作成することなく、印刷文書の出力表現を点検して誤りがないことを確かめることができる。表現システムは、面付けおよび加工の各パラメータを読み取ることにより一連のビューを生成する。どのビューにおいても、現在表示されている項目を任意の方向に回転させることができ、個々のページをどちらにめくることもできる。システムは、出版物の組み立て、すなわち、用紙の積み重ね、断裁、折たたみおよび綴じの工程を介した各用紙の視覚的な組み付けと、出版物の分解すなわち逆工程を、三次元グラフィック環境でシミュレートすることができる。よって、出版物をその各部分から組み立て、または製本されたものを分解して簡単に検査することができる。
【００１１】
本発明の第２の態様によれば、印刷文書の内容に関連する内容データ、文書の少なくとも１つの面付け折丁を記述する面付けデータ、および印刷文書を作成するための１つまたは複数の加工操作の適用を記述する加工データを取得するように適合された入力装置と、前記内容データ、面付けデータおよび加工データに従って印刷文書の電子出力表現を生成するように適合されたプロセッサを備える表現システムと、前記出力表現を出力するように適合された出力装置と、を備える印刷文書検証システムが提供される。
【図面の簡単な説明】
【００１２】
次に、本発明の一実施形態を、添付の図面を参照して説明する。
【図１】本発明の第１の実施形態による印刷文書を検証するシステムを示す図である。
【図２】表現に対して行うべき典型的な加工操作のセットを示す流れ図である。
【図３】本発明の第１の実施形態による印刷文書表現を作成する方法を示す流れ図である。
【図４】本発明の第２の実施形態による印刷文書を検証するシステムを示す図である。
【図５】出版すべき文書の中身部分の面付け折丁を示す図である。
【図６】出版すべき文書の表紙部分の面付け折丁を示す図である。
【図７】折たたみ操作を示す図である。
【図８】出版物の複数の折りたたみ用紙を（無線綴じ用）丁合する方法を示す図である。
【図９】出版物の複数の折りたたみ用紙を（中綴じ用）丁合する方法を示す図である。
【図１０】４つの綴じの例を示す図である。
【図１１】綴じられるときに複数の折りたたみ用紙の順序を検査する方法を示す図である。
【発明を実施するための形態】
【００１３】
次に図１を参照して、本発明を実施するのに使用される装置を説明する。プリプレス環境は、面付けシステム１１６と、データベース１１７に接続された管理情報システム（ＭＩＳ）１０２と、表現システム１０８とを備える。面付けシステム１１６も表現システム１０８も、プロセッサと、ハードディスクと、グラフィックスプロセッサに接続された表示装置と、マウス、タブレット、キーボード、タッチスクリーン、無線指示器といった入力／出力装置とを備える。
【００１４】
プリプレス環境は、印刷機械１０７および加工装置１１８と連係させて使用される。この連係のやりとりは、ネットワーク通信（ＬＡＮ／ＷＡＮ／インターネット）を使用して、または物理的場所によって実現することができる。印刷機械１０７は、印刷または生産ラインを構成する１台または複数の印刷装置１１８を備える。一般に各印刷装置は異なる加工操作に使用される。
【００１５】
印刷機械１０７の操作に関連する情報はＭＩＳ１０２によって管理され、ＭＩＳ１０２は典型的にはデータベース１１７とデータベース管理ソフトウェアとを備える。この情報は、印刷機械１０７の管理者により会社の運営に役立てるのに使用され、例えば、最適化された印刷スケジュール、媒体在庫情報、原価計算情報、機械稼働率および適切な動作パラメータを含む加工装置１１８に関する情報などが含まれる。
【００１６】
面付けシステム１１６は、印刷すべき文書に関する内容情報を受け取ると、面付け折丁１１３を作成するように適合されている。この内容情報はＸＭＬ形式などで電子的にファイル１０１に格納されている。結果として生じる面付け折丁は、例えば、各内容ページのＰＤＦまたはＴＩＦＦ表現の処理パラメータ１０３のセットを指定するデータを含むＸＭＬファイルとを備えるファイルシステムなどの印刷情報（ＰＩ）ファイル１０５に格納することができる。ＰＩファイルは、各加工操作が適用される順序を含む。
【００１７】
面付けシステム１１６はさらに、ＭＩＳから取得した処理パラメータ１０３を受け取るように適合されている。これらのパラメータは、面付け折丁の作成の際に使用することができる。ＭＩＳはさらに、（ファイル１０１で内容データとして与えられる）必要な出版物の記述、企業データベース１１７、および作業者からの入力としての情報を取り込み、出版物に使用するのに適した加工装置１１８を決定する１つまたは複数の最適化アルゴリズムを備えていてもよい。
【００１８】
例えば、内容データはＡ４サイズ３２ページを含むことができ、作業者は媒体種別として「光沢」を選択することができる。その場合最適化アルゴリズム１１５は、企業データベースにおいて在庫にあるすべての光沢媒体を探し出し、どの特定の光沢媒体を使用すれば最も安価な出版物が提供されるか計算する。次いで、内容データ内に設定されたページ数により、最適化アルゴリズムが、媒体サイズ、用紙枚数および用紙１枚当たりのページ数を選択する。次いで最適化アルゴリズム１１５は、企業データベース１１７内に存在する、選択された特定のサイズおよび種類の媒体を印刷、加工するように設計されたすべての印刷装置を探し出し、結果をフィルタにかけて空いている機械を選択する。次いで、出力情報が処理パラメータ１０３の形で面付けシステム１１６に提供されて、面付け折丁１１３が作成される。
【００１９】
表現システム１０８は、様々な加工操作の電子出力表現１０９を作成するように適合されている。表現システム１０８はさらに、入力として印刷情報（ＰＩ）ファイル１０５を受け取るように適合されている。このファイルは、面付けレイアウトおよび印刷用マークが備わった面付け折丁を含むデータを、その面付け折丁から作成される印刷済み面付け用紙に適用すべきすべての加工操作の詳細と共に含む。よってこのデータは、様々な段階におけるその印刷文書の仮想モデルを構築するのに必要とされるすべてのパラメータを提供する。しばしばこのデータは、異なる部分に関連する複数の面付け折丁を含むことになる。
【００２０】
表現システム１０８のハードディスクには三次元モデリングソフトウェアスイートを定義する命令セットが格納される。その場合プロセッサがこれらの命令セットを実行する。このスイートは、適合させたコンピュータ支援設計（ＣＡＤ）パッケージや、Ｌｉｇｈｔｗａｖｅ  ｍｏｄｅｌｌｅｒ、Ｒｈｉｎｏｃｅｒｏｓ  ３Ｄなどの適合させたモデリングソフトウェアスイートといった、当分野で公知のソフトウェアスイートから適合させてもよい。代替としてこのソフトウェアは、公知のオブジェクト指向のメソッドおよびライブラリを使用して構築することもできる。例えば、独自のアプリケーションプログラミングインターフェース（ＡＰＩ）と共に配布されるいくつかの公知のプログラミングモジュールを中心にして幾何モデリングカーネルを構築することもできる。これらのモジュールは、標準プリプレスシステムに接続することのできるパラメトリック特徴ベースのモデリング環境および自由曲面モデリングシステムの作成を可能にする。
【００２１】
本明細書で説明する表現モデルは、当分野で公知の任意の方法を使用して、例えば、ＣＳＧ（ｃｏｎｓｔｒｕｃｔｉｖｅ  ｓｏｌｉｄ  ｇｅｏｍｅｔｒｙ）や多角形モデリングを使用して、あるいは陰関数局面やＢスプラインを使用して実施することができる。別の公知の方法およびシステムを使用して、後続の表現を作成するのに適用される各加工ステップを実演する動画（ａｎｉｍａｔｉｏｎ）を生成することもできる。さらに、表現を生成する方法は、入力／出力装置に接続された専用のグラフィックス集積回路や、専用モデリング機能を備える組み込みシステムといった特注ハードウェアによって実行することもできる。代替として、この方法は、汎用プロセッサ上で、コンピュータ可読媒体に格納された、または伝送型媒体上の命令を実施することによって実行することもできる。
【００２２】
個々の三次元表現は、受け取ったＰＩファイル１０５データと、表現システム１０８の一部を構成するパラメトリックモデラとの間にインターフェースを設けることによって構築される。特定の機能が面付け折丁から関係のある幾何データを抽出し、三次元オブジェクトを作成する際にこの幾何データを使用する。例えば、ＰＩファイルは、各面付け用紙を作成するのに使用すべき媒体サイズおよび媒体種別を指定する。この情報は、ある直方体の三次元モデルに必要とされる高さ、幅および奥行の各パラメータを探し出すのに使用することができる。次いで、適切な寸法を有する直方体を生成することができる。内容データは、印刷すべきグラフィックスおよびテキストを含み、面としてレンダリングし、直方体に適用して、印刷済み面付け用紙の三次元モデルを生成することができる。
【００２３】
表現システム１０８はさらに、生成された三次元モデルに仮想加工操作を適用するように適合されている。印刷機械１０７内では、本物の印刷済み面付け用紙が一連の加工装置１１８によって操作される。よって、各仮想加工操作は、各加工装置によって適用される実際の操作に基づいて三次元モデルを操作することからなる。仮想加工操作は、筋押し、断裁、型押し、貼り、ミシン加工、結束、積み重ね、折たたみ、（中綴じ用）丁合（ｇａｔｈｅｒｉｎｇ）、大貼り運用（ｇａｎｇｉｎｇ）、（無線綴じ用）丁合（ｃｏｌｌｅｃｔｉｎｇ）、綴じ、化粧裁ち、または出版技術分野で公知の他の任意の操作の工程をモデル化したものからなる。
【００２４】
ＰＩファイル１０５の加工データは、各加工操作の詳細を、対応する加工装置参照のセットと共に含む。前述のように、これはＸＭＬ形式で格納され得る。表現システム１０８は、加工データを構文解析して、仮想面付け用紙に適用すべき加工操作のリストを抽出する。リスト上の各操作ごとに、加工データから加工装置参照が、選択した加工操作と特に関連するパラメータと共に抽出される。操作を容易にするために、加工パラメータを加工装置から独立したものとして設計することができる。
【００２５】
例えば折りたたみは、ホライズン（Ｈｏｒｉｚｏｎ）社製ＡＦＣ−５４６ＡＫＴなどで行われる。この折りたたみは、折りたたみカタログエントリによって参照される。カタログ内の各エントリは、業界標準エントリとすることもでき、ユーザ定義とすることもできる。エントリは、「Ｆ８−４」といった形を取ることができ、これは、「８ページの面付けレイアウトを折りたたみオプション４で折りたたむ」ものとして解釈される。その場合、折りたたみオプション４はカタログに詳述されている。よって、この折りたたみと関連付けられた幾何学操作をカタログから抽出し、表現システムモデリング環境内でモデル化することができる。各操作は、表現システム内の特定のオブジェクトまたは関数内でコード化することができる。例えば、所与の折りたたみは、環境内で、用紙オブジェクトの中央の線を中心にした仮想面付け用紙オブジェクトの一部分の１８０度の時計回りの回転を行うメソッドとして表わすことができる。これらのメソッドは、入力データとして操作される個々の面付け用紙の寸法を取り込む。
【００２６】
加工操作の詳細が操作を行うための加工装置に依存する場合には、各加工装置をオブジェクトとしてモデル化することができ、その場合、加工操作と関連付けられる幾何学操作は、このオブジェクトのメソッドとして提供される。よって、上記の折りたたみは、「ｏｕｔｐｕｔ＿ｏｂｊｅｃｔ＝ｍａｃｈｉｎｅＸ．ｆｏｌｄ（ｉｎｐｕｔ＿ｏｂｊｅｃｔ，Ｐ８，Ｆ４）」といった呼出しによって開始することができ、この呼出しは、グループ１１１に示すような加工操作の結果を表わす新しい三次元オブジェクトまたはオブジェクトグループにハンドルを返す。次いでこの出力オブジェクトは、モデリングライブラリが提供するオブジェクトメソッドによって画面上に表示される。
【００２７】
加工操作の詳細が加工装置から独立である場合には、各加工操作をオブジェクトとしてモデル化することができ、このオブジェクトは、入力データとして既存の三次元モデルおよび加工パラメータを取り込み、各加工操作に関与する幾何学操作を表わす出力オブジェクトを生成する関連メソッドを有する。内容データは、オブジェクトモデル内にすでに含まれていてもよく、適切な変形を施して操作された面付け用紙上のページスロットに付加することもできる。
【００２８】
表現システム１０８の最終出力は、出版すべき文書の三次元校正刷り１２０である。これは、中間処理済み（または「加工ステップ」略して「ＦＳ」（Ｆｉｎｉｓｈｉｎｇ−Ｓｔｅｐ））オブジェクト１１１のグループにリンクされているモデルオブジェクトである。
【００２９】
次に、本発明の方法の一例を図２および図３を参照して示す。この例は限定のためのものではなく、他の形の出版文書にも適用できることに留意すべきである。
【００３０】
出版すべき文書は、中身３２ページと表紙４ページからなる。プリプレスコンピュータシステムの作業者がこの出版すべき文書を受け取る（Ｓ３００）。この文書は、ＰＤＦ、ＰｏｓｔＳｃｒｉｐｔ、ＴＩＦＦといった一般的なＰＤＬファイルとして電子的に表現されてもよく、あるいは、物理的に供給され、ラスタ走査など当分野で公知の入力方法によって電子的な形に変換されてもよい。一般に文書は、出版物の創作内容に責任を負うデザインチームまたは広告代理店によって提供される。文書は、ある一定のサイズのページを有し、通常は画像とテキストの混じったものを含む。
【００３１】
次いで作業者は、文書を点検し、文書の商用印刷を対象とする、一連の生産に際しての決定を行う（Ｓ３０１）。これらの決定は表現上の考慮事項とは無関係であることが多く、費用および生産効率に関連する問題を扱う。下されるべき決定は、例えば、何部生産すべきか、生産スケジュール、どんな媒体を使用すべきか、選択した媒体の仕様はどのようなものか、異なる媒体の１つまたは複数の折が生じるか、何色使用すべきか、特色（ｓｐｏｔ  ｃｏｌｏｕｒ）が必要かどうか、どんな印刷装置が利用可能か、何枚の用紙を使用すべきか、どんな加工ステップが必要かなどである。これらの例は網羅的ではなく、個々の状況に左右されるものである。
【００３２】
これらの決定を行った後、作業者の技能と経験に依存して手作業で、または当分野で公知の面付けシステムを使用して自動的に、面付けレイアウトが作成される。面付けレイアウトを自動的に作成する際に、作業者は、原稿ＰＤＬファイルから得られる情報ならびに、Ｂ１、Ａ１、標準紙サイズのいずれかなど媒体のサイズ、８、１６など媒体シート上に配置すべきページ数、利用可能な印刷装置および加工装置といった情報を必要とする。ＰＤＬファイルから取り出される情報は、ページ数および、表紙や中身など、出版物の異なる折を含む。
【００３３】
面付けシステムは、この情報のいずれかを、ＭＩＳから、またはＭＩＳ情報を入力データとして使用するアルゴリズムから取得するように適合させることができる。例えば、ページ数および内容種別をＰＤＬファイルから取り出し、印刷媒体の在庫を点検し、原価計算を行い、次いで内容種別と在庫の媒体種別とを突き合わせる最適化アルゴリズムに入力することもできる。次いで、その媒体種別に適した利用可能な印刷装置が選択され、アルゴリズムは、用紙１枚当たりのページ数、折りたたみおよび積み重ねの種類などといった、これらの装置に基づくパラメータを決定する。
【００３４】
あるいは本発明は、作業者を誘導して決定を行わせるウィザードまたはグラフィカルユーザインターフェースを提供する。このウィザードは、ＭＩＳからの情報に基づいて作成オプションを制限することができる。どんな方法が使用されても、最終的には、面付けレイアウトと、出版物を作成するのに必要とされる加工操作とに関連するデータの集合（「加工データ」）が生じる。
【００３５】
次いで作業者は、面付けレイアウトに一連の印刷用マークを加えて面付け折丁を作成する。出版物の表紙と中身は異なる媒体に印刷されることになるため、各部分ごとに異なる面付け折丁が必要になる。中身の面付け折丁を図５に示し、表紙の面付け折丁を図６に示す。
【００３６】
印刷用マーク５０２、６０２には、カラーバー、断裁線、背標、向きマーク、折りたたみ線、とんぼ、または当分野で公知の他の任意のマークが含まれ得る。これらのマークは、自動的に指定することも、手作業で指定することもできる。自動的に付加される場合、これらのマークは、ウィザードで選択されたオプションによって事前に決定されており、または上記ＭＩＳ最適化アルゴリズムによって自動的に計算されている。例えば、折りたたみ線および向きマークは、面付けレイアウトと使用される折たたみの種類に依存する。
【００３７】
次いで、面付け折丁は、ＰＤＬファイルの各ページのテキストおよびグラフィックスを面付けレイアウトの図形表現の各ページスロットに配置することにより、ＰＤＬファイルに格納された文書内容と合成される。次いで面付け折丁は、加工データと共に印刷情報（ＰＩ）ファイルに格納される。これは図３のステップＳ３０２に示されている。次いでこのファイルは、出版物の実際の生産のために印刷機械に送ることもでき、適切なソフトウェアを用いて標準コンピュータシステム上で表示させることもできる。
【００３８】
ＰＩファイルは、印刷機械に送る前に、加工工程の各段階における文書の表現を作成するために、表現システムにロードされる。これらの表現は一般にはプリプレス作業者によって点検されるが、どんな印刷要員に送られてもよい。
【００３９】
ＰＩファイルが表現システム１０８にロードまたはインポートされた後、第１の表現が作成される。この表現は、文書内容および印刷用マークが所定の位置に配置された面付け折丁１１３を仮想面付け用紙として表示する（Ｓ２００およびＳ３０３）ものである。この表現は、前述の技法を使用して表現システム上の三次元仮想世界内に視覚的に表示することができる。本例では、仮想面付け用紙が三次元直方体として生成されるが、実際には、二次元平面によって近似することもできる。次いで作業者は、ＬＣＤモニタやＣＲＴ表示装置といった標準的な表示装置によってこの表現を見る。
【００４０】
次いでこの三次元世界内で仮想面付け用紙を調べ、操作することができる。例えば、前述の三次元モデルを使用して各仮想面付け用紙を生成し、ページ内容や位置合わせの検査といった基本的な背面検査のために背面を表示するように回転させることもできる。あるいは作業者は、用紙の縁を持ち上げて裏返して、仮想面付け用紙の背面を検査することもできる。折丁の一部または全部の用紙の一部または全部を表示させることができる。さらに、読みやすくするためにビュー領域において印刷用マークをオンとオフに切り換えることもできる。
【００４１】
次に、面付け用紙モデルに加工操作を適用する（Ｓ３０４）ことができる。商用印刷ではしばしば、異なる出版物のページが同じ印刷済み面付け用紙上に含まれることがある。この場合には、印刷済み用紙を断裁装置で断裁して各出版物を分離する必要がある。関連する切れ目は、仮想面付け用紙上に適切な印刷用マークで記される。断裁が必要な場合、表現システムは、作業者が仮想面付け用紙において、断裁装置が行うべき断裁操作を表わす仮想断裁を行う（Ｓ２０１）ことを可能にする。
【００４２】
例えば、作業者が仮想面付け用紙において「断裁」を行うことを可能にするはさみを表わすアイコンまたはポインタが作業者に提供されてもよい。その場合このアイコンまたはポインタは、コンピュータマウス、タブレット、キーボード、または公知の仮想現実インターフェース装置といった当分野で公知の入力手段によって操作することができる。表現システムは、面付け折丁によって求められる断裁線を取り囲む二次元または三次元範囲内で入力手段からの入力信号を検出したときに限り、仮想断裁を行わせる。この入力信号は、発生すると、「ｃｕｔ＿ｏｂｊｅｃｔ＿ｇｒｏｕｐ＝ｍａｃｈｉｎｅＹ．ｃｕｔ（ｉｎｐｕｔ＿ｏｂｊｅｃｔ，ｃｕｔ＿ｌｉｎｅ）」などの、仮想断裁を生じさせるオブジェクトメソッドを開始する。「ｃｕｔ＿ｏｂｊｅｃｔ＿ｇｒｏｕｐ」は、仮想断裁から生じるパラメトリックオブジェクトのグループである。断裁により１枚の面付け用紙が２枚に分離される場合、断裁の線または平面を考慮して計算された幾何寸法を有する２枚の新しい三次元用紙が作成される。次にこの加工操作の結果を画面に表現する（Ｓ３０５）ことができる。
【００４３】
続いて、表現システム１０８は、加工データから抽出された加工操作のリストを検査する（Ｓ３０６）。印刷すべき文書の中身は２枚の仮想面付け用紙から構築されるため、用紙積み重ねの動画ビューが提供される（Ｓ２０２）。この動画は、指定された積み重ね装置と同一のやり方で２枚の仮想面付け用紙を積み重ねる。これは一般には、共通の基準軸のセットを用いて２つ以上の三次元オブジェクトを位置合わせし、加工データから位置合わせの種類を抽出することを伴う。これは、「ｍａｃｈｉｎｅＡ．ｓｔａｃｋ（ｉｎｐｕｔ＿ｏｂｊｅｃｔ＿ｇｒｏｕｐ，ｓｔａｃｋｉｎｇ＿ｐａｒａｍｅｔｅｒｓ）」などのコマンドで開始されてもよく、その場合積み重ねるべきオブジェクトのグループが入力として与えられる。積み重ねパラメータには、（ｉｎｐｕｔ＿ｏｂｊｅｃｔ＿ｇｒｏｕｐに存在する）第２のオブジェクトの二次元下面の第１のオブジェクトの二次元上面からの二次元オフセットと、面ラベルとが含まれる。
【００４４】
よって、この操作時に位置合わせ不良が生じた場合には、作業者に視認される。三次元で積み重ねた用紙を、回転、各ページの表示、ズーミングまたは全体的な変換によってさらに操作して、位置合わせおよびページフローの誤りの有無を検査することもできる。
【００４５】
積み重ねに続いて、各折りたたみ面付け用紙、用紙積み重ね、またはカットシートの表現が生成される。折りたたみ表現の一例が図７に示されており、この折りたたみ工程は、前述のようなコマンドによって開始されてもよい。作業者が、積み重ねられた用紙オブジェクトのセットから完成した折りたたみ用紙を生成する論理ステップを明確にたどることができるように、必要な折りたたみカタログエントリに従って用紙が折りたたまれる動画が提示される（Ｓ２０３）。前述のように、表現システムは、折りたたみカタログ内の各エントリによる動画および折りたたみ構成のライブラリを含む。折りたたみカタログコードは加工データ内で表現システム１０８に渡される。よって作業者は、折りたたまれたオブジェクトを操作し、各折りたたみが各折ごとに要求される通りのものであることを確かめることができる。さらに、必要な場合には、折りたたみ動画を再生することもできる。
【００４６】
最近の出版においては、利用可能な折たたみ操作の数が大きく、高度な複雑さを伴うことがある。例えば、最近の新聞印刷ではしばしば、広告パンフレットや雑誌を機械で挿入させることができるように、文書の中心の折りをずらして外側の用紙に縁を設けることがある。このずれは、それが考慮に入れられない場合には、位置合わせ誤りを引き起こし得る。表示するときに、作業者は面付けレイアウトにおいて適切なページスロットを識別する。よって本システムは、作業者が、不明瞭な誤りを生じる結果になり得る、特徴の複数の組み合わせの結果を検査することを可能にする。
【００４７】
折たたみの前に複数の面付け用紙が積み重ねられていた場合、この用紙オブジェクトの積み重ねに対して仮想折りたたみ操作は行われる。これは、用紙オブジェクトの積み重ねを単一オブジェクトとして扱い、この単一オブジェクトに折りたたみメソッドを適用することによって実施することができる。
【００４８】
表現システム１０８は、折りたたみ動画を開始するための様々なオプションを提供する。すなわち作業者は、用紙を適切なやり方で折りたたみ、思い通りに回転させることのできる折りたたみオブジェクトを生成する自動折りたたみアイコンを選択することもでき、画面上で「手作業」で折りたたみ操作の各ステップを段階的に進めることもできる。手作業のオプションは、アイコンまたはポインタを仮想のはさみのように使用することを含み、このアイコンまたはポインタは、折たたみ操作の表現を表示するために、折りたたむべき用紙の一辺、すなわち折りたたみ線の周りを回転させるべき用紙の一部平面の縁を「つかみ」、その後その一辺を折りたたみ線の表現の周りで「引く」、すなわちその一部平面を回転させるように示すことができる。表示すべき折りたたみ線の位置は、面付け折丁内に印刷用マークとしてあってもよく、折りたたみカタログエントリに基づいて表現システム１０８が付加することもできる。また、「手作業」による折りたたみを補助するために、適切な折りたたみ線を特定の色で強調表示する、折りたたむことのできる用紙の各辺を強調表示する矢印を付加するといった視覚的な合図を設けることもできる。
【００４９】
用紙が折りたたみ操作前に断裁または積み重ねを必要とする場合、この表現は、折りたたみ動画が開始される前に表示されなければならない。これは、表現システム１０８は、面付け折丁および加工データに指定された操作と同一の仮想操作だけを、面付け折丁および加工データに指定されたのと同じ順序でのみ可能にするということを意味するものである。指定の順序は、個々の出版物に必要とされる各加工工程によって設定され、出版物によって異なり得る。同様に、用紙は、いったん折りたたまれると、その折りたたまれた形としてのみ操作することができる。よって、この場合もやはり、現実に可能な操作に限り実行することができる。例えば、図７と同様の表現では、折りたたみ用紙の折りたたまれていない角だけしか開くことができず、よって、左上角の内側を見ることはできないはずである。前の表現に戻るには、折りたたまれたオブジェクトを広げなければならない。
あるいは、折りたたみ用紙の内側を点検させるために、表現システム１０８は、一時的な「オートカット」コマンドを提供する。このコマンドは、現在の表現オブジェクトに関連するメソッド、例えば、「ｃｕｔ＿ｏｂｊｅｃｔ＝ｃｕｒｒｅｎｔ＿ｏｂｊｅｃｔ．ｃｕｔ（ｃｕｔ＿ｌｉｎｅ）」などによって実施することができる。これにより、化粧裁ち加工操作が適用され、現在の三次元モデルオブジェクトの一部が除去される。この操作は、折りたたまれた出版物に対する既存の機械上で利用可能な化粧裁ち操作を表わす。その場合作業者は、折りたたみによる制限を受けず、ページをめくってページ順序および位置合わせを検証することができる。この操作は、ソフトウェアスイートＧＵＩ内の所与のアイコンをクリックして開始される、「ｃｕｒｒｅｎｔ＿ｏｂｊｅｃｔ＝ｃｕｔ＿ｏｂｊｅｃｔ．ｕｎｃｕｔ（）」などのコマンドによって元に戻すことができる。
【００５０】
折たたみの後、複数の折りたたみ用紙が生じる場合、これら複数の用紙は、綴じが可能になるように丁合され、または集められる（Ｓ２０４）。可能な丁合操作を図８（「（無線綴じ用）丁合」）と図９（「（中綴じ用）丁合」）に示す。このような操作を組み合わせてより複雑な構成の出版物が作成されてもよい。
【００５１】
表現システム１０８は、出版物を構成するすべての用紙オブジェクトに加工操作のセットを適用させる「すべて選択」および「すべてに適用」コマンドオプションを提供する。これは、オブジェクトファミリまたは階層を設けることによって実施することができる。出版文書オブジェクト１２０は、図１のグループ１１１で表される、一連の加工ステップオブジェクトを含み、各加工ステップオブジェクトは、いくつかの下位部分オブジェクト１１２を含む。これらの下位部分は、異なる中身部分および表紙部分を構成するページグループや、異なる媒体に印刷されるページグループといった出版物の部分とすることもでき、かつ／または、あるページはラミネーションを必要とし、あるページは型押しを必要とするといった、異なる加工操作を必要とする複数のページグループとすることもできる。例えば、本発明の例では、２枚の面付け用紙が別々に折りたたまれ、次いで丁合された場合であって、作業者が第１の用紙オブジェクトの加工操作を段階的に進めている場合には、第２の用紙オブジェクトにも同じステップを自動的に適用することができる。よって２枚の用紙は丁合可能な状態になる。
【００５２】
表現システム１０８は、加工データから実行すべき丁合の種類を読み取り、その丁合操作を、折りたたみ用紙オブジェクトのセットに適用する。これは、各折りたたみ用紙オブジェクト上のある特定の線または面を合わせることによって実施される。例えば、図８では、中央の折りたたみ用紙オブジェクト８０１の面が折りたたみ用紙オブジェクト８０２および８０３の各面と、矢印が面を貫通する各点８０４において合わされる。これらの点は、加工データにおいて、所与の印刷用マークと関連付けて、または丁合および適切な加工装置の形が与えられているときには暗黙的に指定される。例えば、コマンドは、「ｇａｔｈｅｒｅｄ＿ｏｂｊｅｃｔ＝ｍａｃｈｉｎｅＧ．ｇａｔｈｅｒ（ｉｎｐｕｔ＿ｏｂｊｅｃｔ＿ｇｒｏｕｐ）」のようなものとすることもできる。
【００５３】
各用紙が丁合されている場合には、図１１に示すように、背標１１０１を見て落丁を検出することができる。また丁合は、手順に誤りがないことを確かめるために、三次元で回転させることもできる。また、この段階において、出版物のページをめくって印刷用マークが見えるかどうか検査することも有効である。「オートカット」機能は、文書がまだ化粧裁ちされていない場合に使用することができる。例えば、印刷用マークは折りたたみ線に沿って配置されるようにデザインすることもできるが、実際の折りたたみによりこのマークの一部が見えたままになり、印刷文書に目障りな特徴が生じることもあり得る。これを、表現システム１０８を使用して発見し、後で印刷用マークを位置合わせし直すことができる。
【００５４】
出版物の他の部分があればそれを三次元空間にドラッグすることができるのはこの段階においてであり、例えば、表紙部分オブジェクトを、丁合された中身部分オブジェクトを含む空間にインポートすることができる。ある出版物または加工操作に関連するすべてのオブジェクトのリストが、ＧＵＩから利用可能なウィンドウに格納される。その場合、２つの部分を操作してサイズおよび綴じに適するかどうか検査することができ、例えば、中身を表紙に挿入することができる。
【００５５】
次いで表現は綴じが可能な状態になる（Ｓ２０５）。可能な綴じオプションの例が図１０に示されている。表現システム１０８は、加工データから適切な綴じ目的を取り出し、実際の綴じ操作を表わす動画を表示する。例えば、「中綴じ」製本が必要とされる場合には、オブジェクトグループに面合わせなどの適切な幾何学的変形を適用することによって、中身部分オブジェクトが表紙オブジェクトに挿入され、次いで表紙が、ステープルなどの選択されたメソッドで固定される。各部分の固定は、例えば、「ｉｎｎｅｒ＿ｏｂｊｅｃｔ＿ｐｏｉｎｔ＿ｌｏｃａｔｉｏｎ（ｘ，ｙ，ｚ）＝ｏｕｔｅｒ＿ｏｂｊｅｃｔ＿ｐｏｉｎｔ＿ｌｏｃａｔｉｏｎ（ｘ，ｙ，ｚ）」など、中身および表紙オブジェクトに関するステープルオブジェクトへの幾何制約の適用として表わすことができる。その場合作業者操作は主に、表紙と中身の両方を含むファミリオブジェクトに適用される。出版物が「無線綴じ」されるべきである場合には、表紙と中身の縁が「研磨」される。すなわち、表現においては、両オブジェクトの一部が除去され、次いで、のり付けされる。すなわち、各ページの平面モデルの運動は、「のり付け」された縁に沿って制限されることになる。
【００５６】
最後に、綴じられた表現に化粧裁ち操作が適用される（Ｓ２０６）。これは単に、化粧裁ちマークおよび加工データに従って綴じられたオブジェクトの一部分を除去することによって実行することができる。これにより作業者は、加工データで与えられた「裁ち落とし」パラメータ、すなわち、あるページのグラフィックスがそのページの化粧裁ちマークをわずかに超えているかどうか検査して、化粧裁ち装置の位置合わせにわずかな誤差があった場合に白線が形成されるのを防ぐことができる。
【００５７】
次に残る表現は、最初に指定された面付け折丁、内容データおよび加工データを使用して作成される出版物の三次元校正刷り１２０である。よって表現を、ページの向きおよび位置合わせ、印刷用マークの可視性およびページフローについてさらに検査することができる。原稿内容データで与えられた読取り順だけを使用して生成された従来技術の三次元校正刷りと比べて、本システムが作成する三次元表現は、文書の作成によって導入されるあらゆる特徴を表示することになる。例えば、折りたたみが誤って設定された場合や、異なる積み重ね機械が使用された場合、この情報は従来技術では無視されるが、これはすべて最終校正刷りに表現されるはずである。
【００５８】
その場合この表現の正確さは、プリプレス作業者にとって多くの利点を提供する。作業者は、加工済み文書に存在するあらゆる誤りまたは視覚収差を発見し、文書または文書の試し刷りを行う前にそれらを変更することができる。このため、機械費用、媒体費用、および「見本」校正刷りの手作業による実施としての金と時間が節約される。表現は作業者が指示する印刷および加工操作をモデル化するにすぎず、テキストおよびグラフィックスの色および位置合わせは、原稿ＰＤＬファイルの複製ではなく、完全に加工済みの文書を表わしたものになる。選択した媒体および様々な照明オプションを表わす生々しいテクスチャを利用して表現の品質を高めることができる。公知のレンダリングモジュールまたは前述のモデリングスイートの諸機能によりこれらの効果を与えることができる。よって、通常は色を検査するために印刷生産ラインを開始する前に印刷される「最終確認用校正刷り（ｃｏｎｔｒａｃｔ  ｐｒｏｏｆ）」は不要である。
【００５９】
次いで、最終三次元校正刷りを、原稿デザインチーム、あるいは作業を依頼した組織または個人に送って、実際の印刷を生産する前に完成品を顧客に検証させることができる。また、各加工ステップ１１１の表現を３Ｄ校正刷り出力に含めることもできる。
【００６０】
また、表現システム１０８は、通常は二次元平面としてモデル化され得る仮想面付け用紙に奥行を持たせる機能も提供する。これは、その上に面付け折丁を印刷すべき媒体に基づいて、三次元オブジェクトに高さ、幅および奥行の各パラメータを与えることによって実施される。このオブジェクトには、オブジェクト指向のパラダイムを使用して、折りたたみの際に媒体の奥行を考慮に入れさせる属性およびメソッドを備えることができる。よって、挿入された折りたたみ用紙の縁のわずかだが累積されたずれである「クリープ」や、折りたたまれる際の紙厚によるページのゆがみである「ボトリング」といった収差を、三次元モデルの正確さを拡張することによって表現に表示させることができる。さらに、面付け折丁に上記の収差を補償するための補正が加えられている場合、作業者は、その補正の効果あるいは副作用の可能性を検証することもできる。
【００６１】
また、用紙オブジェクトはさらに、印刷装置によって加えられる力による媒体の変形を正確にモデル化するために、応力係数およびひずみ係数を提供するように拡張することもできる。加えて、紙の紙目方向の影響を表現することもできる。
【００６２】
本発明の第２の実施形態では、面付け作成システムと表現システムとを組み合わせて単一のプリプレスシステム４０８にする。このシステムを図４に示す。
【００６３】
作業者は、前述のように、ＰＤＬファイル１０１において、または同様のものとして印刷すべき文書の内容を受け取り、次いで、組み合わせプリプレスシステムにおいて新しい印刷ジョブを作成する。新しいジョブの作成時に、作業者には、グラフィカルユーザインターフェースの形でウィザードが提示される。このウィザードは、作業者を誘導して、入力を必要とし、また前述のように、ＭＩＳデータに基づく最適化決定によって補完され得るものでもある印刷および加工パラメータ１０３を入力させる。
【００６４】
必要なデータが収集された後で、面付け折丁が必要に応じて各折ごとに自動的に作成され、これらが前述のように面付け用紙として表示される。次いで、様々な加工ステップを、前述のように段階を追って行うことができる。
【００６５】
しかし、この実施形態では、満足のいかない表現の誤りまたは要素を見つけた場合に、作業者は各加工ステップ、例えば、面付け、折たたみおよび綴じの各パラメータ１０３などを動的に変更することができる。必要なパラメータを変更した後、三次元表現が再生成される。この工程は、各編集操作の度に自動的に行うこともでき、作業者が一連の編集の後にコマンドボタンをクリックして開始させることもできる。
【００６６】
例えば、「ドラッグアンドドロップ」メソッドを使用して折たたみ線および断裁線を移動することもでき、表現はこの新しい加工データに従って再生成される。新しい、または編集された加工パラメータ１０３を入力するためのツールバー、およびその他のグラフィカルユーザインターフェースが設けられる。例えば、在庫切れのために媒体種別を動的に変更する必要が生じ、異なる種類の媒体を使用することによる影響が評価されることもある。その場合作業者は、適切なドロップダウンメニューから新しい媒体を選択することができ、表現モデルのパラメータはしかるべく変更される。よって、作業者は、「裁ち落とし」または「ボトリング」の各パラメータ１０３を変更する必要があるかどうか調べることができる。加えて、このような変更が行われ、組合せシステム４０８によって面付けが自動的に再生成された場合、作業者は新しい面付けが正しいことを確かめることができる。
【００６７】
組合せシステムは、加工データのいずれかを編集し、表現をしかるべく再調整することができる機能のみならず、作業者が面付けレイアウト１１３または個々の印刷用マークの位置を動的に変更することができる機能も提供する。変更はどの表現から行うこともでき、よって、後の方の加工ステップ表現で検出された誤りは、他のすべての表現における一致のための変更を行う前に、その表現内で修正することができる。
【図１】
2010537298.tif 000003
【図２】
2010537298.tif 000004
【図３】
2010537298.tif 000005
【図４】
2010537298.tif 000006
【図５】
2010537298.tif 000007
【図６】
2010537298.tif 000008
【図７】
2010537298.tif 000009
【図８】
2010537298.tif 000010
【図９】
2010537298.tif 000011
【図１０】
2010537298.tif 000012
【図１１】
2010537298.tif 000013
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
コンピュータによって実施される印刷文書検証方法であって、
印刷すべき文書の内容に関連する内容データを取得し、
前記文書の少なくとも１つの面付け折丁に関連する面付けデータを取得し、
前記印刷文書を作成するために行うべき１つまたは複数の加工操作の適用を記述する加工データを取得し、
前記内容データと、前記面付けデータおよび加工データから取得される幾何データとを使用して、前記印刷し加工すべき文書の三次元パラメトリックモデルを生成し、
前記三次元パラメトリックモデルに基づいて前記印刷し加工すべき文書の三次元電子出力表現を表示する、
印刷文書検証方法。
【請求項２】
前記内容データおよび前記印刷文書を生成する際に使用すべき印刷加工装置に従って前記少なくとも１つの面付け折丁を生成することをさらに含む請求項１に記載のコンピュータによって実施される印刷文書検証方法。
【請求項３】
前記面付けデータは、それぞれが異なる印刷文書部分を表わす複数の面付け折丁を記述する請求項１または請求項２に記載のコンピュータによって実施される印刷文書検証方法。
【請求項４】
前記１つまたは複数の加工操作の適用に先立ち、前記面付けデータに適用された前記内容データを表現する電子面付け用紙表現を生成することをさらに含む請求項１〜３のいずれか１項に記載のコンピュータによって実施される印刷文書検証方法。
【請求項５】
前記電子出力表現は、前記加工データに従って、前記電子面付け用紙表現に前記１つまたは複数の加工操作を適用するように前記電子面付け用紙表現を処理することによって生成される請求項４に記載のコンピュータによって実施される印刷文書検証方法。
【請求項６】
前記電子出力表現を表示することをさらに含む請求項１〜５のいずれか１項に記載のコンピュータによって実施される印刷文書検証方法。
【請求項７】
前記電子出力表現を生成することは、前記１つまたは複数の加工操作の適用を表わす動画を生成することをさらに含む請求項６に記載のコンピュータによって実施される印刷文書検証方法。
【請求項８】
前記電子出力表現にテクスチャ効果および照明効果のうちの少なくとも１つを適用することをさらに含む請求項６または請求項７に記載のコンピュータによって実施される印刷文書検証方法。
【請求項９】
前記電子出力表現を生成することの後に前記電子出力表現と対話することをさらに含む請求項１〜８のいずれか１項に記載のコンピュータによって実施される印刷文書検証方法。
【請求項１０】
表現を回転させること、表現内のページを開くこと、表現を拡大縮小すること、及び表現を変換することのうちの１つまたは複数のやり方で前記電子出力表現と対話することをさらに含む請求項９に記載のコンピュータによって実施される印刷文書検証方法。
【請求項１１】
前記電子出力表現と対話することは、前記印刷文書が前記１つまたは複数の加工操作に従って作成された場合に物理的に可能であるはずの対話だけに制限される請求項９または請求項１０に記載のコンピュータによって実施される印刷文書検証方法。
【請求項１２】
作業者に前記電子出力表現との対話を円滑に行わせるためのグラフィカルユーザインターフェースが提供される請求項９〜請求項１１のいずれか１項に記載のコンピュータによって実施される印刷文書検証方法。
【請求項１３】
前記出力表現を生成することの後に前記面付けデータまたは加工データを動的に編集し、前記編集済みのデータに基づいて前記出力表現を再生成することをさらに含む請求項１〜１２のいずれか１項に記載のコンピュータによって実施される印刷文書検証方法。
【請求項１４】
前記１つまたは複数の加工操作は、筋押し、断裁、型押し、貼り、ミシン加工、結束、積み重ね、折たたみ、中綴じ用丁合、大貼り運用、無線綴じ用丁合、綴じ、及び化粧裁ちのうちの少なくとも１つを含む請求項１〜１３のいずれか１項に記載のコンピュータによって実施される印刷文書検証方法。
【請求項１５】
前記加工データは、管理情報システムから取得される追加の管理データを使用して取得される請求項１〜１４のいずれか１項に記載のコンピュータによって実施される印刷文書検証方法。
【請求項１６】
前記加工データが複数の加工操作を記述している場合に、各加工操作ごとの複数の電子出力表現を生成することをさらに含む請求項１〜１５のいずれか１項に記載のコンピュータによって実施される印刷文書検証方法。
【請求項１７】
前記複数の電子出力表現は前記印刷文書の作成を表わす順序で生成される請求項１６に記載のコンピュータによって実施される印刷文書検証方法。
【請求項１８】
コンピュータに、請求項１〜１７のいずれか１項に記載の方法を構成する各ステップを実行させるためのプログラム。
【請求項１９】
コンピュータに、請求項１〜１７のいずれか１項に記載の方法を構成する各ステップを実行させるためのプログラムを記録したコンピュータ読取可能記録媒体。
【請求項２０】
印刷文書の内容に関連する内容データ、前記文書の少なくとも１つの面付け折丁を記述する面付けデータ、および前記印刷文書を作成するための１つまたは複数の加工操作の適用を記述する加工データを取得するように適合された入力装置と、
前記内容データと、前記面付けデータおよび加工データから取得される幾何データとを使用して、前記印刷し加工すべき文書の三次元パラメトリックモデルを生成するように適合されたプロセッサを備える表現システムと、
前記三次元パラメトリックモデルに基づいて前記印刷し加工すべき文書の三次元電子出力表現を表示するように適合された表示装置と、
を備える印刷文書検証システム。
【請求項２１】
前記入力装置は、マウス、タブレット、タッチスクリーン、ネットワーク接続、及びディジタル媒体読取装置のうちの少なくとも１つを備える請求項２０に記載の印刷文書検証システム。
【手続補正２】
【補正対象書類名】明細書
【補正対象項目名】０００８
【補正方法】変更
【補正の内容】
【０００８】
本発明の第１の態様によれば、コンピュータによって実施される印刷文書検証方法であって、印刷すべき文書の内容に関連する内容データを取得し、前記文書の少なくとも１つの面付け折丁に関連する面付けデータを取得し、前記印刷文書を作成するために行うべき１つまたは複数の加工操作の適用を記述する加工データを取得し、前記内容データと、前記面付けデータおよび加工データから取得される幾何データとを使用して、前記印刷し加工すべき文書の三次元パラメトリックモデルを生成し、前記三次元パラメトリックモデルに基づいて前記印刷し加工すべき文書の三次元電子出力表現を表示することを含む方法が提供される。
【手続補正３】
【補正対象書類名】明細書
【補正対象項目名】００１１
【補正方法】変更
【補正の内容】
【００１１】
本発明の第２の態様によれば、印刷文書の内容に関連する内容データ、前記文書の少なくとも１つの面付け折丁を記述する面付けデータ、および前記印刷文書を作成するための１つまたは複数の加工操作の適用を記述する加工データを取得するように適合された入力装置と、前記内容データと、前記面付けデータおよび加工データから取得される幾何データとを使用して、前記印刷し加工すべき文書の三次元パラメトリックモデルを生成するように適合されたプロセッサを備える表現システムと、前記三次元パラメトリックモデルに基づいて前記印刷し加工すべき文書の三次元電子出力表現を表示するように適合された表示装置と、を備える印刷文書検証システムが提供される。
【国際調査報告】
2010537298.tif 000014
2010537298.tif 000015
2010537298.tif 000016